(57)【要約】【課題】紙面に印刷されたバーコードを読取るための従来のバーコードリーダでは、液晶ディスプレイなどに表示されたバーコードを読取ることができないという問題がある。【解決手段】上記課題を解決するために、微小な顔料粒子を用いて表示内容を電気的に書き換える電子ペーパー画面部と、電子ペーパー画面部に二値コードを表示するコード表示部と、非電子ペーパー画面部と、を有するタブレット端末及びスマートフォン及びＰＣ端末など各種端末装置を提供する。【選択図】図２
2015130139.tif 000002
【特許請求の範囲】
【請求項１】
微小な顔料粒子を用いて表示内容を電気的に書き換える電子ペーパー画面部と、
電子ペーパー画面部に二値コードを表示するコード表示部と、
非電子ペーパー画面部と、を有するタブレット端末及びスマートフォン及びＰＣ端末など各種端末装置。
【請求項２】
コード表示部が電子ペーパー画面部に二値コードを表示する際に
非電子ペーパー画面部にその二値コードに関連付けられた情報を表示する情報表示部を有する請求項１に記載のタブレット端末及びスマートフォン及びＰＣ端末など各種端末装置。
【請求項３】
前記電子ペーパー画面部と、前記非電子ペーパー画面部とは、タブレット端末及びスマートフォン及びＰＣ端末など各種端末装置のいずれか一の面にともに備えられている請求項１又は２に記載のタブレット端末及びスマートフォン及びＰＣ端末など各種端末装置。
【請求項４】
前記電子ペーパー画面部は、非電子ペーパー画面部のみを有するタブレット端末本体、スマートフォン本体及びＰＣ端末本体などの各種端末装置本体に外部接続されたものである請求項１から３のいずれか一に記載のタブレット端末及びスマートフォン及びＰＣ端末など各種端末装置。
【請求項５】
請求項４に記載のタブレット端末本体、スマートフォン本体及びＰＣ端末本体などの各種端末装置本体への外部接続専用の電子ペーパー画面部。
【発明の詳細な説明】
【技術分野】
【０００１】
本発明は、液晶ディスプレイなどを有するとともに、二値コードを表示する電子ペーパー画面部を有するタブレット端末及びスマートフォン及びＰＣ端末など各種端末装置に関する。
【背景技術】
【０００２】
従来、電気や水道、ガスなどの利用料金の支払いに際してバーコードが印刷された払込票等をコンビニエンスストアなどに提示して支払いを行っていた。しかし、近年ではタブレット端末やスマートフォンなどのディスプレイに表示されるバーコードを読み取ることにより支払いを行う試みがなされている。
【先行技術文献】
【特許文献】
【０００３】
【特許文献１】特開２００３−１１５０２５号公報
【発明の概要】
【発明が解決しようとする課題】
【０００４】
しかしながら、スマートフォンなどに表示したバーコードを従来のバーコードリーダで読取を試みた場合、バーコードを正確に読取れないことがほとんどである。この要因の一つとして、液晶ディスプレイなど表示装置における色の表現が、三原色（ＲＧＢ）の混合により行われていることにあると考えられる。
【０００５】
バーコードは一般的に黒色のバーと白色のバーとが配列して構成されるが、液晶ディスプレイなどにおいて白色のバーを表示するときは、ＲＧＢ（Ｒｅｄ、Ｇｒｅｅｎ、Ｂｌｕｅ）のサブピクセルのそれぞれを均等に発光させることで視覚的に白色と認識できるように表現している。
【０００６】
一方、バーコードリーダは、例えば、バーコードに光を照射し反射光を取得して読取ったり、カメラモジュールにより撮像したバーコード画像から読取ったりする。ここで、液晶ディスプレイに表示されるバーコードのうち白色のバーは上記の通り三原色のサブピクセルがそれぞれ発光して表現される。このように表現された白色のバーに光を照射して取得した反射光は、紙面に印刷された白色のバーに光を照射して取得した反射光とは異なるものとなる。また、カメラモジュールにより撮像されたバーコード画像における白色のバーは、赤色、緑色、青色に発光する各サブピクセルの連なりとして写し出されるものとなり、紙面に印刷された白色のバーを撮像したものとは異なるものとなる。
【０００７】
このように、液晶ディスプレイなどに表示されたバーコードは、人の目には紙面に印刷されたバーコードと同様に黒色のバーと白色のバーとの組み合わせとして視認されるものであるが、従来のバーコードリーダにとっては紙面に印刷されたバーコードとは異なるものとなる。そのため、従来のバーコードリーダでは、液晶ディスプレイなどに表示されるバーコードを読取ることができない。
【課題を解決するための手段】
【０００８】
上記課題を解決するために本発明において、以下のタブレット端末及びスマートフォン及びＰＣ端末など各種端末装置などを提供する。すなわち、第一の発明として、微小な顔料粒子を用いて表示内容を電気的に書き換える電子ペーパー画面部と、電子ペーパー画面部に二値コードを表示するコード表示部と、非電子ペーパー画面部と、を有するタブレット端末及びスマートフォン及びＰＣ端末など各種端末装置を提供する。
【０００９】
また、第二の発明として、上記の各構成を備え、コード表示部が電子ペーパー画面部に二値コードを表示する際に非電子ペーパー画面部にその二値コードに関連付けられた情報を表示する情報表示部を有するタブレット端末及びスマートフォン及びＰＣ端末など各種端末装置を提供する。
【００１０】
また、第三の発明として、上記いずれかの各構成を備え、前記電子ペーパー画面部と、前記非電子ペーパー画面部とは、タブレット端末及びスマートフォン及びＰＣ端末など各種端末装置のいずれか一の面にともに備えられているタブレット端末及びスマートフォン及びＰＣ端末など各種端末装置を提供する。
【００１１】
また、第四の発明として、上記いずれかの各構成を備え、前記電子ペーパー画面部は、非電子ペーパー画面部のみを有するタブレット端末本体、スマートフォン本体及びＰＣ端末本体などの各種端末装置本体に外部接続されたものであるタブレット端末及びスマートフォン及びＰＣ端末など各種端末装置を提供する。また、第四の発明に記載のタブレット端末本体、スマートフォン本体及びＰＣ端末本体などの各種端末装置本体への外部接続専用の電子ペーパー画面部を提供する。
【発明の効果】
【００１２】
以上のような構成をとる本発明により、電子ペーパー画面部にバーコードを表示することで、紙面に印刷されたバーコードを読取るためのバーコードリーダによっても、表示されたバーコードを精度よく読取ることが可能となる。
【図面の簡単な説明】
【００１３】
【図１】実施形態１のタブレット端末及びスマートフォン及びＰＣ端末など各種端末装置の概要を示す概念図
【図２】実施形態１のタブレット端末及びスマートフォン及びＰＣ端末など各種端末装置の機能ブロックの一例を示す概念図
【図３】実施形態１のタブレット端末及びスマートフォン及びＰＣ端末など各種端末装置のハードウェア構成の一例を示す概念図
【図４】実施形態１のタブレット端末及びスマートフォン及びＰＣ端末など各種端末装置の処理の流れの一例を示すフロー図
【図５】実施形態２のタブレット端末及びスマートフォン及びＰＣ端末など各種端末装置の概要を示す概念図
【図６】実施形態２のタブレット端末及びスマートフォン及びＰＣ端末など各種端末装置の機能ブロックの一例を示す概念図
【図７】実施形態２の情報表示部及びコード表示部を説明するための概念図
【図８】実施形態２のタブレット端末及びスマートフォン及びＰＣ端末など各種端末装置の処理の流れの一例を示すフロー図
【図９】実施形態３のタブレット端末及びスマートフォン及びＰＣ端末など各種端末装置の概要を示す概念図
【図１０】実施形態３のタブレット端末及びスマートフォン及びＰＣ端末など各種端末装置の機能ブロックの一例を示す概念図
【発明を実施するための形態】
【００１４】
以下に、図を用いて本発明の実施の形態を説明する。なお、本発明はこれら実施の形態に何ら限定されるものではなく、その要旨を逸脱しない範囲において、種々なる態様で実施しうる。
【００１５】
なお、実施形態１は、主に請求項１、３について説明する。また、実施形態２は、主に請求項２について説明する。また、実施形態３は、主に請求項４、５について説明する。
<実施形態１>
<概要>
【００１６】
図１は、本実施形態のタブレット端末及びスマートフォン及びＰＣ端末など各種端末装置の一例であるスマートフォンを示す概念図である。「スマートフォン」（０１００）は、液晶表示画面などである「非電子ペーパー画面部」（０１０２）と、「電子ペーパー画面部」（０１０１）とがスマートフォンの正面に備わっている。非電子ペーパー画面部はタッチ操作可能なユーザインターフェースを構成する。電子ペーパー画面部は黒色及び白色の顔料粒子を電気的に書き換え可能に構成され、それら顔料粒子により「バーコード」（０１０３）を白黒表示する。
【００１７】
電子ペーパー画面部による表示は、液晶表示画面のように三原色の混合によるものではなく、黒色及び白色の顔料粒子によるものである。すなわち、白色の紙面に黒色の顔料を付着させて文字等を表わすことと同様である。したがって、電子ペーパー画面に表示されるバーコードは、紙面に印刷されたバーコードを読取可能なバーコードリーダによって、紙面に印刷されたバーコードと同様に誤りなく読取ることが可能となる。
<構成>
【００１８】
図２は、本実施形態のタブレット端末及びスマートフォン及びＰＣ端末など各種端末装置における機能ブロックの一例を示す図である。なお、以下に記載する本装置やシステムの機能ブロックは、ハードウェア及びソフトウェアの組み合わせとして実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザインターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本システムの機能ブロックは専用ハードウェアによって実現されてもよい。
【００１９】
また、本明細書に記載の各実施形態は装置として実現できるのみでなく、方法としても実現可能である。また、このような装置の一部をソフトウェアとして構成することができる。さらに、そのようなソフトウェアをコンピュータに実行させるために用いるソフトウェア製品、及び同製品を固定した記録媒体も、当然に本明細書に記載の各実施例の技術的な範囲に含まれる（本明細書の全体を通じて同様である）。
【００２０】
そして、この図２にあるように、本実施形態の「タブレット端末及びスマートフォン及びＰＣ端末など各種端末装置」（０２００）は、「電子ペーパー画面部」（０２０１）と、「コード表示部」（０２０２）と、「非電子ペーパー画面部」（０２０３）と、からなる。
【００２１】
「タブレット端末及びスマートフォン及びＰＣ端末など各種端末装置」（０２００）は、内蔵するコンピュータにより情報処理を行う装置の代表的な存在である。各種端末には、これらの代表的な装置のほかにも、携帯電話機やゲーム機やナビゲーション装置なども含まれる。また、「スマートフォン」は、タッチパネルを主たるユーザインターフェースデバイスとする高機能携帯電話機のことをいう。
【００２２】
「電子ペーパー画面部」（０２０１）は、微小な顔料粒子を用いて表示内容を電気的に書き換える機能を有する。電子ペーパー画面部を構成する代表的な技術として、電気泳動式を挙げることができる。この方式による電子ペーパー画面部は、白色と黒色の微小な顔料粒子を絶縁性の透明油などの流体とともに収めた透明なマイクロカプセルを、表示面となる薄い透明電極板と表示解像度に応じた微小かつ多数の電極を配置した反対側の電極支持板との間に隙間なく１層のみ並べて構成される。そして、電圧を印加することにより顔料粒子を上下に電気泳動させていずれかの顔料粒子をマイクロカプセル上部に選択的に移動させることにより、黒色と白色とからなる画像を表示する方式である。また、液晶ディスプレイなどとことなりバックライトなどの光源を用いることはなく、太陽光や照明光を顔料粒子が反射することにより表示するものである。
【００２３】
なお、上記方式の他にも電子粉流体方式など様々な方式が存在するが、微小な顔料粒子を用いて表示内容を電気的に書き換える機能を果たし得るものであれば、いずれかの方式に限定するものではない。
【００２４】
また、顔料粒子は白色顔料と黒色顔料に限られるものではない。例えば、赤色顔料と青色顔料の組み合わせや、赤色顔料と緑色顔料との組み合わせであってもよい。すなわち、少なくとも組み合わせられる顔料によりコントラストが生じ得ればよい。
【００２５】
「コード表示部」（０２０２）は、電子ペーパー画面部に二値コードを表示する機能を有する。「二値コード」は、対比可能な二つ彩色を要素として何らかの情報を示すものをいう。例えば、黒色のバーと白色のバーとが横に並んで配置されるバーコード（一次元バーコード）や、白地に黒色のドットを縦横に配列して情報を示す二次元バーコードなどのことである。
【００２６】
例えば、一次元バーコードには、ＪＡＮコード、ＣＯＤＥ３９、ＣＯＤＥ１２８、ＮＷ−７、ＩＴＦ、ＧＳ１−１２８などがある。その中で、ＣＯＤＥ３９、ＮＷ−７、ＩＴＦは、バイナリーコードといい、２種類の幅の黒色バー及び白色バーの組み合わせで構成される。また、ＪＡＮコード、ＣＯＤＥ１２８、ＧＳ１−１２８は、マルチレベルコードといい、２種よりも多い種類の幅の黒色バー及び白色バーの組み合わせで構成される。本実施形態における二値コードは、バイナリーコードだけではなくマルチレベルコードも当然に含まれる。
【００２７】
二値コードの表示は、表示すべき二値コードの画像を構成するための情報を取得して行ってもよいし、二値コードの表示により示すべき情報を取得し、取得した情報を所定の規定に基づいて符号化して二値コードを表示してもよい。また、図１に示したように一の二値コードを表示する態様だけでなく、複数の二値コードを表示するように構成してもよい。
【００２８】
電気泳動式などによる画像のコントラスト比は１５対１程度にまで及び、２０対１というコピー用紙での印刷には至らないものの、十分なコントラスト比が得られる。したがって、このようなコントラスト比が得られる電子ペーパー画面部に表示されたバーコードなどの二値コードは、印刷されたバーコードを読取るためのバーコードリーダによっても十分に誤りなく読取が可能となる。
【００２９】
「非電子ペーパー画面部」（０２０３）は、電子ペーパー画面部を具現する技術方式ではない技術方式により具現される表示画面の機能を果たすものであり、とくに技術方式を限定するものではない。具体的には、一般的な表示デバイスである、液晶表示画面やプラズマ表示画面や有機ＥＬ表示画面や電界放出表示画面などを採用することができる。
【００３０】
なお、図１においては、電子ペーパー画面部と非電子ペーパー画面部とがタブレット端末及びスマートフォン及びＰＣ端末など各種端末装置の同じ面に備えられている。このような構成は、ユーザに対する良好な視認性を担保するうえで好適であるが、これに限定されるものではない。例えば、上記各種端末装置の正面に非電子ペーパー画面部を備え、背面に電子ペーパー画面部を備えるように構成するなど種々の構成を適宜採用し得る。
【００３１】
また、本実施形態に係る各種端末装置は、二値コードの表示を電子ペーパー画面部によってのみ行う場合の他、選択的に非電子ペーパー画面部によって二値コードを表示するように構成してもよい。例えば、一の二値コードの表示をすでに電子ペーパー画面部により行っているなかで、さらに他の二値コードを表示する必要が生じた場合には当該他の二値コードを非電子ペーパー画面部によって表示するようにしてもよい。また、二値コードの表示より優先して電子ペーパー画面部に表示すべき対象が存在する場合には、劣後的に表示すべき二値コードを非電子ペーパー画面部によって表示するように構成してもよい。このように二値コードの表示を電子ペーパー画面部又は非電子ペーパー画面部のいずれかで行うかについての所定のルールを保持することが好ましい。
<ハードウェア>
【００３２】
図３は、上記機能的な各構成要件をハードウェアとして実現した際の、タブレット端末及びスマートフォン及びＰＣ端末など各種端末装置における構成の一例を表す概略図である。この図を利用してそれぞれのハードウェア構成の働きについて説明する。
【００３３】
図示するように、タブレット端末及びスマートフォン及びＰＣ端末など各種端末装置は、各種演算処理を実行するための「ＣＰＵ」（０３０１）と、各種演算処理を行なうプログラムをＣＰＵに実行させるために読み出すとともにそのプログラムのワーク領域を提供する「主メモリ」（０３０２）と、を備えている。これらの構成によりコード表示部を具現する。また、二値コードの画像を構成し、あるいは、示すべき情報を符号化して二値コードを表示するためのコード表示プログラムや各種処理演算を行うプログラムなど保持するための「フラッシュメモリ」（０３０３）などの記憶装置を有する。そして、二値コードを表示するための電子ペーパー画面部を具現する「電子ペーパーディスプレイ」（０３０４）と、非電子ペーパー画面部を具現する「液晶ディスプレイ」（０３０５）を有する。また、種々の情報の授受を行うための「Ｉ／Ｏ」（０３０６）を有する。そして、それらがシステムバス（０３０７）などのデータ通信経路によって相互に接続され、情報の送受信や処理を行う。
【００３４】
電子ペーパーディスプレイに二値コードを表示するための処理の一例としては、まず、ＣＰＵは、フラッシュメモリに保持されているコード表示プログラムを主メモリのワーク領域に展開して実行し、例えばＩ／Ｏを介して受信した情報に含まれる二値コードの情報を取得し、さらに取得した二値コードの情報を復号化するなどして二値コードの画像を生成する。そして、生成した二値コード画像を電子ペーパーディスプレイに描画して表示する。
<処理の流れ>
【００３５】
図４は、本実施形態のタブレット端末及びスマートフォン及びＰＣ端末など各種端末装置における処理の流れの一例を表すフローチャートである。なお、以下に示すステップは、計算機の各ハードウェア構成によって実行されるステップであっても良いし、媒体に記録され計算機を制御するためのプログラムを構成する処理ステップであっても構わない（後述する実施形態２以下についても同様である）。本フローにおいては、二値コードの情報を含み得る何らかの情報を受信して取得する場合を想定している。図示するように、まず、受信情報の有無を判断する（Ｓ０４０１）。受信情報がない場合には情報を受信するまでこの判断処理を繰り返す。受信情報がある場合には、さらにその情報に二値コードの情報が含まれるか否かの判断を行う（Ｓ０４０２）。二値コードの情報が含まれていない場合には、受信情報の有無を判断する処理を引き続き行う。受信した情報に二値コードの情報が含まれる場合には、その情報に基づいて示すべき二値コード画像を生成する（Ｓ０４０３）。そして、生成した二値コード画像を電子ペーパー画面部に表示する（Ｓ０４０４）。そして、各種端末装置の動作を終了するまで、上記の各ステップの処理を行う（Ｓ０４０５）。
<効果>
【００３６】
本実施形態のタブレット端末及びスマートフォン及びＰＣ端末など各種端末装置により、電子ペーパー画面部にバーコードなどを表示した場合、紙面に印刷されたバーコードを読取るための従来のバーコードリーダによっても、表示されたバーコードを精度よく読取ることが可能となる。
<実施形態２>
<概要>
【００３７】
図５は、本実施形態のタブレット端末及びスマートフォン及びＰＣ端末など各種端末装置の一例としてのスマートフォンを示す概念図である。図示するように、「スマートフォン」（０５００）は、「電子ペーパー画面部」（０５０１）に「バーコード」（０５０４）を表示するとともに、「非電子ペーパー画面部」（０５０２）に当該バーコードが示す支払についての「情報」（０５０５）が表示され、併せて、最寄りのコンビニエンスストアを示す「地図」（０５０６）が表示されている。
【００３８】
電子ペーパー画面部による表示は白黒画像又は二色画像となり、非電子ペーパー画面部による表示と比較すると多彩かつ多様な表示能力の面で劣りがちである。そこで、電子ペーパー画像部にバーコードなどの二値コードを表示する際に、そのバーコードが示す情報やバーコードによる支払が可能な最寄りのコンビニエンスストアの住所や地図などといったバーコードと関連付けられた情報を、相対的に表示能力に優れる非電子ペーパー画面部に表示することによりユーザビリティの向上を図ることができる。また、係る構成とすることにより、電子ペーパー画面部をバーコードなどの二値コードの表示に専任させることで、非電子ペーパー画面部が各種端末装置において占有し得る領域を過度に狭めることもない。
<構成>
【００３９】
本実施形態は実施形態１を基本とする。図６は、本実施形態のタブレット端末及びスマートフォン及びＰＣ端末など各種端末装置における機能ブロックの一例を示す図である。図示するように、本実施形態の「タブレット端末及びスマートフォン及びＰＣ端末など各種端末装置」（０６００）は、「電子ペーパー画面部」（０６０１）と、「コード表示部」（０６０２）と、「非電子ペーパー画面部」（０６０３）と、「情報表示部」（０６０４）と、からなる。情報表示部以外の構成については、実施形態１における構成と同様であるため説明を省略する。
【００４０】
「情報表示部」（０６０４）は、コード表示部が電子ペーパー画面部に二値コードを表示する際に非電子ペーパー画面部にその二値コードに関連付けられた情報を表示する機能を果たす。
【００４１】
「二値コードに関連付けられた情報」は、例えば、支払金額、支払先、支払の名目、支払期限など二値コードが示すべき情報であったり、表示したバーコードの読取により支払が可能な店舗や金融機関の所在地や地図及びそこに至る経路などの情報であったり、二値コードが示す情報や当該情報の詳細情報や関連情報を開示するウェブ上のリンク先などを示す情報などであってよい。なお、二値コードに関連付けられた情報は、二値コードに付加されている情報を取得したり、二値コードを復号して取得したり、二値コードを生成した生成元から通信回線を介して取得したりしてもよい。
【００４２】
情報表示部及びコード表示部について、図７を用いてさらに具体的に説明する。図７（ａ）は、二値コードとして表示すべき情報と当該二値コードに関連付けられた情報とを包含する一の請求情報を、ＸＭＬなどのマークアップ言語により記述した一例を示すものである。また、図７（ｂ）は、上記の請求情報を取得した本実施形態の端末装置における、二値コードの表示と当該二値コードに関連付けられた情報の表示の態様の一例を示す概念図である。
【００４３】
図７（ａ）に示すように、この請求情報には一意の請求番号と請求額が記述され、そのタイトルタグの下に「ガス料金のお支払について」が記述されている。併せて、テキストタグの下に「ガス料金のお支払いのお願いです。７月の田中様のガス料金は２６００円となりました。最寄りのコンビニエンスストアにてお支払い下さい」と記述されている。そして、コードタグの下に「１００１１００１１０１００１１１０１００１１００１０１０１１０００１０１０１」といった符号が記述されている。
【００４４】
ここで、コード表示部は、取得した請求情報のタグ情報に基づき、上記の例のような「コード」タグの下に記述された情報を二値コードの情報として取得し、さらに復号化して二値コード画像を生成する。そして、図７（ｂ）に示すように、生成した二値コード画像（０７０３）を電子ペーパー画面部（０７０１）に表示する。
【００４５】
一方、情報表示部は、取得した請求情報のタグ情報に基づき、上記の例のような「タイトル」タグや「テキスト」タグの下に記述された情報を二値コードに関連付けられた情報として取得し、記述されたタイトル及びテキストを表示するための画像（０７０４）を生成し、非電子ペーパー画面部（０７０２）に表示する。このように二値コード及び関連付けられた情報を包含した情報を取得した際に、それらに付されるタグを利用することにより、表示すべき情報に応じて電子ペーパー画面部と非電子ペーパー画面部のいずれかに適宜表示することができる。
【００４６】
また、本実施形態に係る各種端末装置と、二値コードと当該二値コードに関連付けられた情報とを包含する一のデータを生成及び送信するサーバ装置とからなるシステムを構成してもよい。例えば、上記のように二値コードとして表示すべき情報については「コード」タグの下に記述し、当該二値コードに関連付けられた情報については「タイトル」や「テキスト」などのタグの下に記述して、請求に関する一のデータを生成し、生成したデータを保持し適時に送信し得るサーバ装置と、本実施形態に係る各種端末装置とからなるシステムを構成するといった具合である。
【００４７】
また、上記のように生成されたデータから二値コードとして示すべき情報を取得して二値コード画像を電子ペーパー画面部に表示するためのプログラムとともに当該二値コードと関連付けられた情報を取得して非電子ペーパー画面部に表示するためのプログラム（関連情報表示プログラム）を、二値コードの情報と当該二値コードと関連付けられた情報とを包含するデータと併せて又は当該データに含ませて各種端末装置に送信するように構成してもよい。
<ハードウェア>
【００４８】
本実施形態のタブレット端末及びスマートフォン及びＰＣ端末など各種端末装置は、図３を用いて説明した実施形態１のハードウェア構成において、さらに二値コードと関連付けられた情報を非電子ペーパー画面部に表示するためのプログラムを有することなどにより実現することができる。例えば、コード表示プログラムを実行しＩ／Ｏを介して受信した情報に付されている「コード」タグなどに基づき二値コードの情報を取得し、さらに取得した二値コードの情報を復号化するなどして二値コードの画像を生成する。そして、生成した二値コード画像を電子ペーパーディスプレイに描画して表示する。そして、関連情報表示プログラムを実行し受信した情報に付されている「タイトル」タグや「テキスト」タグなどに基づき二値コードと関連付けられた情報を取得し、非電子ペーパーディスプレイに表示する。
<処理の流れ>
【００４９】
図８は、本実施形態のタブレット端末及びスマートフォン及びＰＣ端末など各種端末装置における処理の流れの一例を表すフローチャートである。なお、図中において二値コードに関連付けられた情報のことを「関連情報」と記述する。まず、受信情報の有無を判断する（Ｓ０８０１）。受信情報がない場合には情報を受信するまでこの判断処理を繰り返す。受信情報がある場合には、その情報に含まれる情報に応じた処理を行う。すなわち、二値コードの情報のみが含まれる場合（ケースＡ）、関連情報のみが含まれる場合（ケースＢ）、両方の情報が含まれる場合（ケースＣ）、のいずれに該当するかの判断を行う（Ｓ０８０２）。
【００５０】
上記の判断結果がケースＡの場合には、受信した情報に含まれる二値コードの情報に基づいて示すべき二値コード画像を生成する（Ｓ０８０３）。そして、生成した二値コード画像を電子ペーパー画面部に表示する（Ｓ０８０４）。判断結果がケースＢの場合には、受信した情報に含まれる関連情報に基づいて関連情報画像を生成する（Ｓ０８０５）。そして、生成した関連情報画像を非電子ペーパー画面部に表示する（Ｓ０８０６）。判断結果がケースＣの場合には、受信した情報に含まれるそれぞれの情報に基づいて二値コード画像及び関連情報画像を生成する（Ｓ０８０７）。そして、生成した二値コード画像を電子ペーパー画面部に表示するともに生成した関連情報画像を非電子ペーパー画面部に表示する（Ｓ０８０８）。そして、各種端末装置の動作を終了するまで、上記の各ステップの処理を行う（Ｓ０８０９）。
<効果>
【００５１】
本実施形態のタブレット端末及びスマートフォン及びＰＣ端末など各種端末装置により、二値コードと関連付けられた情報を、相対的に表示能力に優れる非電子ペーパー画面部に表示することによりユーザビリティの向上を図ることができる。
<実施形態３>
<概要>
【００５２】
図９は、本実施形態のタブレット端末及びスマートフォン及びＰＣ端末など各種端末装置の一例としてのスマートフォンを示す概念図である。図示するように、「スマートフォン」（０９００）は「非電子ペーパー画面部」（０９０２）のみを有し、「電子ペーパー画面部」（０９０１）は当該スマートフォンに外部接続された状態で「バーコード」（０９０４）を表示している。
【００５３】
これまで説明してきたように、電子ペーパー画面部は二値コードを表示するのに好適である。その一方で、頻繁に二値コードを表示する必要のない場合もある。そこで、電子ペーパー画像部を、スマートフォンなどの各種端末装置と外部接続可能に構成することで、必要に応じて電子ペーパー画像部を接続することができユーザビリティの向上を図ることができる。
<構成>
【００５４】
本実施形態は実施形態１又は２を基本とする。図１０は、本実施形態のタブレット端末及びスマートフォン及びＰＣ端末など各種端末装置における機能ブロックの一例を示す図である。図示するように、本実施形態の「タブレット端末及びスマートフォン及びＰＣ端末など各種端末装置」（１０００）は、「コード表示部」（１００３）と「情報表示部」（１００４）と「非電子ペーパー画面部」（１００５）とを有する「タブレット端末及びスマートフォン及びＰＣ端末など各種端末装置本体」（１００２）と、この各種端末装置と外部接続される「電子ペーパー画面部」（１００３）とからなる。
【００５５】
本実施形態の「タブレット端末及びスマートフォン及びＰＣ端末など各種端末装置本体」（１００２）は非電子ペーパー画面部のみを有する。これは、視覚的出力デバイスとしての電子ペーパー画面部を有さないことを意味し、非電子ペーパー画面部をはじめタブレット端末及びスマートフォン及びＰＣ端末など各種端末装置本体として通常備える構成などは具備される。
【００５６】
「電子ペーパー画面部」（１００３）は、上述した非電子ペーパー画面部のみを有する各種端末装置本体に外部接続される。接続の態様は、有線又は無線又は双方であってよい。また、図９に示すように各種端末装置本体と一体的に構成されてもよいし、分離して機能し得るよう構成してもよい。
【００５７】
また、電子ペーパー画面部は、上述の各種端末装置本体と接続されることにより、その機能を発揮し得るように構成してもよいし、独立して視覚的出力デバイスとして機能を発揮し得るように構成してもよい。すなわち、特定の端末装置本体との接続により機能し得る専用品としてもよいし、様々な端末装置本体と接続可能である汎用品としてもよい。
【００５８】
また、電子ペーパー画面部は、実施形態２で説明したように二値コードの情報と当該二値コードと関連付けられた情報とを包含した情報を取得して二値コード画像を電子ペーパー画面部に表示するためのプログラムと当該二値コードと関連付けられた情報を取得して非電子ペーパー画面部に表示するためのプログラム（関連情報表示プログラム）とを予め備えるように構成し、さらに、各種端末装置本体と接続されることにより上記各プログラムが当該装置本体において保持及び実行されるように構成してもよい。
<ハードウェア>
【００５９】
本実施形態のタブレット端末及びスマートフォン及びＰＣ端末など各種端末装置は、実施形態１又は２のハードウェア構成に準じて実現することができる。そのため、ここでの説明は省略する。なお、外部接続される電子ペーパー画面部は、各種端末装置からの出力信号を取得することによってのみ表示を行う受動的な装置であってもよいし、自身がＣＰＵ、主メモリ、記憶装置、Ｉ／Ｏなどを有し、各種端末装置からの出力信号を取得する場合以外であっても表示を行い得る能動的な装置となるように構成してもよい。
<処理の流れ>
【００６０】
本実施形態のタブレット端末及びスマートフォン及びＰＣ端末など各種端末装置における処理の流れは、実施形態１又は２における処理の流れと同様であるため、ここでの説明は省略する。
<効果>
【００６１】
本実施形態のタブレット端末及びスマートフォン及びＰＣ端末など各種端末装置により、電子ペーパー画像部を外部接続し得るように構成することでユーザビリティの向上を図ることができる
【符号の説明】
【００６２】
０２００  タブレット端末及びスマートフォン及びＰＣ端末など各種端末装置
０２０１  電子ペーパー画面部
０２０２  コード表示部
０２０３  非電子ペーパー画面部
【図１】
2015130139.tif 000003
【図２】
2015130139.tif 000004
【図３】
2015130139.tif 000005
【図４】
2015130139.tif 000006
【図５】
2015130139.tif 000007
【図６】
2015130139.tif 000008
【図７】
2015130139.tif 000009
【図８】
2015130139.tif 000010
【図９】
2015130139.tif 000011
【図１０】
2015130139.tif 000012